(57)【要約】【課題】立位及び寝位の何れの状態においても装着し易い使い捨ておむつを提供すること。【解決手段】液透過性の表面シート、液不透過性の裏面シート及び両シート間に介在された液保持性の吸収体を備え、一対のファスニングテープ５が設けられており、長手方向に沿って弾性部材６１，７１が配設されているおむつであって、股下部Ａの幅方向中央部が曲げ剛性が３０〜１５０ｇｆ／５０ｍｍの高剛性領域となっており、該高剛性領域には、その折曲を容易にする屈曲補助部１１，１２が形成されている。【選択図】　　図１
2004057413.tif 000002
【特許請求の範囲】
【請求項１】
液透過性の表面シート、液不透過性の裏面シート及び両シート間に介在された液保持性の吸収体を備え、一対のファスニングテープが設けられており、長手方向に沿って弾性部材が配設されているおむつであって、
股下部の幅方向中央部が曲げ剛性が３０〜１５０ｇｆ／５０ｍｍの高剛性領域となっており、該高剛性領域には、その折曲を容易にする屈曲補助部が形成されている、立位での装着が容易な使い捨ておむつ。
【請求項２】
前記高剛性領域は、股下部におけるおむつ幅方向の長さの最小値が５〜９０ｍｍであり、かつ、おむつ長手方向の長さが１００〜４００ｍｍである請求項１記載のおむつ。
【請求項３】
前記高剛性領域は、おむつを長手方向に２等分するおむつ長手方向中央線の前後のそれぞれ３０ｍｍ以上の長さに亘って、そのおむつ幅方向の長さが５〜９０ｍｍの範囲内である請求項１又は２記載のおむつ。
【請求項４】
前記高剛性領域の左右両側に、前記吸収体が配されている領域であって、曲げ剛性２５ｇｆ／５０ｍｍ以下の低剛性領域が形成されている請求項１〜３の何れか記載のおむつ。
【請求項５】
前記屈曲補助部は、少なくとも前記吸収体を、前記表面シート側から厚み方向に加圧圧縮して形成されている請求項１〜４の何れか記載のおむつ。
【発明の詳細な説明】
【０００１】
【発明の属する技術分野】
本発明は、立位及び寝位の何れの状態においても装着し易い使い捨ておむつに関する。
【０００２】
【従来の技術及び発明が解決しようとする課題】
従来、使い捨ておむつとして、ファスニングテープを有する展開型の使い捨ておむつと、予めパンツ型に形成されたパンツ型の使い捨ておむつが知られており、展開型の使い捨ておむつは、新生児から使用できることや、製造コストが安いこと等から、最も一般的に用いられている。
【０００３】
従来の一般的な展開型使い捨ておむつは、被装着者（赤ちゃん等）が仰向けに寝ている状態（以下、寝位ともいう）で装着するように設計されている。このため、静かに仰向けに寝ている状態（以下、寝位ともいう）の被装着者（赤ちゃん等）に対しては容易に装着できるが、活動が活発になった幼児期の頃は、おむつ交換をするために寝位で静止していることは少なく、また、寝位になることさえ嫌がる場合も多く、そのような場合に寝位で装着するのは非常に大変である。特に寝位での装着を嫌がったりする場合、例えば、はいはいをして逃げ回ったりする場合には、その装着が容易ではない。そのような子供に対しては四つんばいや立っている状態（以下、立位ともいう）で装着を試みることになるが、従来のおむつでは、この場合も装着は容易ではない。
【０００４】
その一つの要因としては、従来の一般的な展開型使い捨ておむつは、寝位状態の被装着者に対して、その腹側においてファスニングテープをランディングゾーンに止着し装着するように設計されており、それ以外の方法で装着することが困難であるということが挙げられる。例えば、立ち上がった状態の被装着者に対して装着（以下、立位装着ともいう）したり、寝位又は立位の被装着者に対して、その背側でファスニングテープをランディングゾーンに止着して装着することは困難である。
また、他の原因としては寝位での装着の場合では、おむつは被装着者の背中と床（若しくは寝具）などの間に挟まれ、被装着者の荷重により装着位置から移動しにくい状態となっているのに対し、立位での装着の場合では、おむつはどこにも固定されていないために、装着者自身がおむつを装着位置から動かないように保持しながら、装着を行わなければならないことが挙げられる。
このような状況で、親はパンツ型のおむつを使用することを検討しはじめるが、つかまり立ちが始まったばかりのような乳幼児では立って脚を上げることが難しいので、結局パンツ型おむつを使うことを挫折してしまう。結局、親は逃げようとして暴れる子供を押さえ付けながら寝かせておむつ替えをしなければならなかった。
要するに、立位及び寝位の何れ状態においても充分に装着し易い使い捨ておむつは、未だ提供されていないのである。
【０００５】
従って、本発明の目的は、立位及び寝位の何れの状態においても装着し易い、テープ止めタイプのおむつを提供することにある。
【０００６】
【課題を解決するための手段】
本発明は、液透過性の表面シート、液不透過性の裏面シート及び両シート間に介在された液保持性の吸収体を備え、一対のファスニングテープが設けられており、長手方向に沿って弾性部材が配設されているおむつであって、股下部の幅方向中央部が曲げ剛性が３０〜１５０ｇｆ／５０ｍｍの高剛性領域となっており、該高剛性領域には、その折曲を容易にする屈曲補助部が形成されている、立位での装着が容易な使い捨ておむつを提供することにより、前記目的を達成したものである。
【０００７】
【発明の実施の形態】
以下、本発明を、その好ましい一実施形態に基づいて詳細に説明する。
本発明の一実施形態としての使い捨ておむつ１は、図１及び図２に示すように、液透過性の表面シート２、液不透過性の裏面シート３、及び両シート間に介在された液保持性の吸収体４を備えている。使い捨ておむつ１は、幼児用の展開型の使い捨ておむつであり、長手方向の中央部に股下部Ａを有しており、長手方向における該股下部Ａの前後に、両側縁部に一対のファスニングテープ５が設けられた第１部Ｂ及び外表面にファスニングテープ５を止着するランディングゾーン５１が設けられた第２部Ｃを有している。股下部Ａは、着用時に着用者（被装着者）の股下部（股間部）に配される部位である。
【０００８】
使い捨ておむつ１は、股下部Ａの両側縁が円弧状に形成されており、全体として、長手方向中央部が括れた砂時計状の形状を有している。
表面シート２は、吸収体４よりも外形寸法の大きい略矩形状の平面視形状を有しており、裏面シート３の幅方向中央部に配されている。裏面シート３は、おむつの外形形状に一致する砂時計状の外形を有している。
表面シート２及び裏面シート３は、それぞれ、吸収体４の両側縁４１，４１及び両端縁４２ａ，４２ｂから外方に延出しており、それらの延出部において互いに接合されている。裏面シート３の長手方向の両側部は、表面シート２の両側縁から幅方向外方に延出している。
【０００９】
本使い捨ておむつ１における長手方向の両側には、一対の立体ギャザー６，６がそれぞれおむつの長手方向に沿って形成されている。各立体ギャザー６は、弾性部材６１を有する立体ギャザー形成用のシート材６２を表面シート２の両側縁の外方から内方に亘るように配設して形成されている。各シート材６２は、吸収体４の側縁４１と後述するレッグ部弾性部材７１との間において、長手方向に亘って直線状に表面シート２上に固定されており、その直線状の固定部が立体ギャザー６の固定端６４となっている。各シート材６２は、前記固定端６４よりも幅方向外方に位置する部分が表面シート２又は裏面シート３上に固定されており、また、おむつの長手方向両端部近傍における該固定端６４よりもおむつ幅方向中央側に位置する部分が表面シート２上に固定されている。各立体ギャザー６に配設された弾性部材６１は、それぞれ糸状の形態を有し、各立体ギャザー６の自由端６３と略平行に複数本配されている。
【００１０】
また、本使い捨ておむつ１の幅方向における、一対の立体ギャザー６，６よりも更に外側には、それぞれレッグ部弾性部材７１，７１が、直線状に配設されてレッグギャザー７，７が形成されている。
前記弾性部材６１及び前記レッグ部弾性部材７１は、何れも使い捨ておむつ１の長手方向に沿って配設された弾性部材であり、第１部Ｂと第２部Ｃとの間に亘って配設されている
【００１１】
尚、第１部Ｂ及び第２部Ｃのウエスト部Ｄには、ウエスト部弾性部材８１が配設されてウエスト伸縮部８が形成されており、また、第１部Ｂの胴回り部Ｅの両側部には、それぞれ複数本の胴回り部弾性部材９１が配設されて一対のサイド伸縮部９，９が形成されている。第１部Ｂの胴回り部Ｅは、図２に示すように、使い捨ておむつ１を、その各部の弾性部材を伸張させて平面状に拡げた状態（緊張状態）とし、第１部Ｂ側を上側、第２部Ｃ側を下側と考えた場合に、ウエスト部弾性部材８１が配された部位よりも下方に位置し且つ股下部（着用時に着用者の股下に配される部分で、左右両側縁が脚廻りに沿わせるように凹状に形成されている部分）Ａより上方に位置する部分である。
【００１２】
本使い捨ておむつ１においては、図２及び図３に示すように、股下部Ａの幅方向中央部が、曲げ剛性３０〜１５０ｇｆ／５０ｍｍの高剛性領域Ｒ１となっている。股下部Ａの幅方向中央部に、曲げ剛性３０ｇｆ／５０ｍｍ以上の高剛性領域Ｒ１が存在しないと、おむつを装着する際に、おむつの立体形態を、装着性を向上させ得る所定の折曲形態に保持することができず、立位装着性を向上させることができない。また、高剛性領域Ｒ１の曲げ剛性が１５０ｇｆ／５０ｍｍ超であると、股下部Ａがゴワゴワする等、着用中の装着感が悪化してしまう。該高剛性領域の剛性は３５〜１００ｇｆ／５０ｍｍ、特に４０〜８０ｇｆ／５０ｍｍであると、被装着者の姿勢変形に応じてある程度の変形追従でき、フィット性及びモレ性能を向上させるという効果も奏されるので好ましい。
【００１３】
本使い捨ておむつにおいては、高剛性領域に屈曲補助部が設けられている。本実施形態では、図１及び図３に示すように、前記高剛性領域Ｒ１に、屈曲補助部１１，１２が、おむつを長手方向に２等分する中央線ＣＬの前後それぞれに一対、幅方向に延びるように形成されている。屈曲補助部は、高剛性領域Ｒ１が、おむつ長手方向の所定部位で長手方向に容易に屈曲するようにするものであり、屈曲補助部を設けることにより、おむつを装着する際に、立位装着性を向上させ得る好ましい形態（折曲した形態）に、使い捨ておむつを確実に変形させることができ、立位装着性を確実に向上させることができる。
【００１４】
本実施形態における屈曲補助部１１（１２）は、図４に示すように、高剛性領域Ｒ１における少なくとも吸収体４を、表面シート２側から厚み方向に加圧圧縮して形成されている。加圧圧縮の方法としては、加圧のみ行う方法、加圧及び加熱を行う方法（ヒートエンボス等）、加圧及び超音波（超音波エンボス等）処理を行う方法等の何れの方法を用いることもできるが、加圧及び加熱を行う方法、特にヒートエンボスによる方法が好ましい。また、加圧圧縮により屈曲補助部を形成する場合の加圧圧縮は、高剛性領域Ｒ１に、直線状の圧縮部を幅方向に延びるように形成しても良いし、間欠的に複数の圧縮部を幅方向に並ぶように形成しても良い。更に、高剛性領域を折り曲げて加圧等により折り癖を付け、折り癖の付いたその折り曲げ部を屈曲補助部とすることもできる。
【００１５】
該高剛性領域（図３中の斜線部）Ｒ１は、股下部Ａにおけるおむつ幅方向長さの最小値（以下、「最小幅」という）Ｗ１（図２及び図３参照）が５〜９０ｍｍ、特に１０〜７０ｍｍであることが好ましく、おむつ長手方向の長さＬ１（図３参照）が１００〜４００ｍｍ、特に１５０〜３００ｍｍであることが好ましい。
【００１６】
前記最小幅Ｗ１が５〜９０ｍｍの範囲内であると、おむつを装着する際に、おむつの立体形態を装着性を向上させ得る所定の折曲形態に保持でき、また、股下部Ａがゴワゴワする等、着用中の装着感が悪化させることもなく、立位で装着する時におむつを所定の装着位置まで引き上げやすいため、立位装着性をより一層向上させられるという理由で好ましい。
【００１７】
また、前記長さＬ１が１００〜４００ｍｍの範囲内であると、おむつを装着する際に、おむつの立体形態を装着性を向上させ得る所定の折曲形態に保持でき、着用者の身体形状に一致させやすく、おむつと着用者との間の隙間をなくし、フィット性を向上させられる。特にウエスト部の隠蔽性及び、着用者の姿勢変化等によるウエスト部の形状変化に対しても追従性を維持できるため、立位装着性をより一層向上させられるという理由で好ましい。
【００１８】
尚、前記長さＬ１は、おむつ全長の６０〜９０％であることが好ましい。前記長さＬ１を、おむつ全長の６０％以上の長さとすることにより、おむつを装着する際に、おむつの立体形態を、装着性を向上させ得る所定の折曲形態に保持することができ、９０％以下とすることにより、着用時のフィット性を確保することができる。
【００１９】
立位での装着性及び着用中の装着感を向上させる観点から、高剛性領域Ｒ１は、おむつを長手方向に２等分するおむつ長手方向中央線ＣＬの前後のそれぞれ３０ｍｍ以上の長さＬ２，Ｌ２（図３参照）に亘って、その幅Ｗ（図３参照）が５〜９０ｍｍの範囲内であることが好ましい。
また、立位での装着性及び着用中の装着感を向上させる観点から、高剛性領域Ｒ１は、図３に示すように、第１部Ｂと第２部Ｃとの間に亘って存在していることが好ましく、股下部Ａの長手方向の全域に亘って、その幅Ｗ（図３参照）が５〜１５０ｍｍの範囲内であることが好ましい。
【００２０】
本実施形態の使い捨ておむつ１においては、図３に示すように、高剛性領域Ｒ１の左右両側に、前記吸収体４が配されている領域であって、曲げ剛性２５ｇｆ／５０ｍｍ以下の低剛性領域Ｒ２，Ｒ２が形成されている。低剛性領域Ｒ１，Ｒ１は、吸収体４が配されている領域における、おむつ長手方向の両側部に、それぞれ長手方向に延びるように形成されている。
斯かる低剛性領域Ｒ２，Ｒ２を設けることで、おむつの装着時に低剛性領域が適度に変形し易くなり、おむつを股下部に挿入し引き上げる操作が容易となり着用者の股間部の所定位置に着用しやすくなる。また、着用者の動きに対して吸収体配設領域が追従することが可能となり、フィット性が向上する。さらに、立体ギャザー及びレッグギャザー部と高剛性領域との緩衝部として機能し、各々の機能を有効に発揮させることができることからモレ性能が向上する。
尚、股下部Ａにおける、吸収体４が配されている領域（以下、吸収体配設領域ともいう）とは、使い捨ておむつ１を、図１に示すように平面状に拡げた状態（緊張状態）において平面視（俯瞰視）したときに、厚み方向の内部（上下面間）に吸収体４が存在する領域である。
【００２１】
股下部の最小幅Ｗ４（図２参照）は１００〜２５０ｍｍが好ましく、特に、１００〜２３０ｍｍ、とりわけ１２０〜２００ｍｍとすると、立位及び寝位での装着性、特に立位での装着がし易くなるので好ましい。左右両側のレッグ部弾性部材７，７同士間の最大幅Ｗ５（図２参照）は９０〜２３０ｍｍ、特に１００〜２２０ｍｍ、とりわけ１００〜２００ｍｍが好ましい。左右の立体ギャザー６の自由端６３同士間の幅Ｗ６（図１参照）は１００ｍｍ以下、特に８０ｍｍ以下であることが、着用者の両脚間に挿入し易く、おむつを引き上げ易いため好ましい。各立体ギャザーの幅Ｗ７（図２参照）は２５〜６０ｍｍであることが好ましい。また、立体ギャザーの固定端６４と高剛性領域Ｒ１の端部の距離Ｗ８（図２参照）は、２５ｍｍ以上であることが装着容易性とフィット性の観点から好ましい。
【００２２】
ここで、低剛性領域Ｒ１及び高剛性領域Ｒ２それぞれの、おむつ幅方向の曲げ剛性は、以下のようにして測定される。
〔曲げ剛性の測定方法〕
測定にはテンシロン試験機〔（株）オリエンテック社製のＲＴＣ−１１５０Ａ〕を用い、ＪＩＳ規格Ｋ７１７１法（プラスチック−曲げ特性の試験方法）に準拠して測定を行う（Ｒ１＝５．０±０．１ｍｍ、Ｒ２＝５．０±０．２ｍｍ一定）。
試験片をエッジスパン間Ｌを５０ｍｍとした支持台の両エッジ間に渡すように置き、試験片に僅かに接するように圧子先端部を配置する。ロードセル５ｋｇ（レンジ２００ｇｆ）、速度３０ｍｍ／ｍｉｎの条件で、圧子を降下させ、荷重−たわみ曲線を得る。得られた曲げ応力の最大値を曲げ剛性値（ｇｆ／５０ｍｍ）とする。
試験片はギャザーを除去したおむつから、測定に影響するような折り目、しわ等が含まれないように表面材から裏面材までの構成部材を含めておむつの長手方向５０ｍｍ、幅方向８０ｍｍの長方形の大きさに切り出す。曲げ剛性値の単位の５０ｍｍとは試験片の短辺の長さであり、試験時の圧子でたわませた試験片の幅である。
【００２３】
試験片は、剛性を測定しようとする部位の幅が５０ｍｍ超の場合には、その幅の全体を切り出す。剛性を測定しようとする部位の幅が５０ｍｍ以下の場合には、その部位が含まれるように切り出し、両エッジ間に該部位の少なくとも一部が位置するように置く。
例えば、吸収体配設領域のおむつ幅方向の両端部の他の部位より低剛性の幅５０ｍｍ以下の領域がある場合、測定片は、その低剛性の領域を長手方向の一端部に含むように切り出し、その低剛性の領域の一端が一方のエッジ上に位置し、他端がエッジ間に位置するようにセットする。この場合、前記圧子は、エッジ間の中央部において、その低剛性領域意外の部位を押圧することになる場合もあるが、得られる荷重の最大値は、主として低剛性の領域の剛性に依存するため、そのようにして得られた荷重の最大値を、その低剛性の領域の曲げ剛性値（ｇｆ／５０ｍｍ）とする。
また、吸収体配設領域からおむつ幅方向の幅が５０ｍｍ超の試験片を切り出し、該試験片について上述のようにして求めた荷重の最大値が２５ｇｆ／５０ｍｍ超である場合には、吸収体配設領域に、おむつ幅方向の幅Ｗ３（図３参照）が５０ｍｍ以上で且つおむつ幅方向の曲げ剛性が２５ｇｆ／５０ｍｍ超の領域がある。
【００２４】
尚、股下部Ａにおける吸収体配設領域の幅Ｗ２（図３参照）は、股下部Ａからのモレ及び第１部Ｂと第２部Ｃからのモレを防止する観点から５０〜２５０ｍｍであることが好ましく、おむつ股下部の最小幅は、立位での装着性及び股下部からのモレを防止する観点から５０〜１３０ｍｍであることが好ましく、股下部の最小幅部分における、おむつ幅方向の最も内側に配されたレッグ部弾性部材７１，７１間の離間幅Ｗ３（図２参照）は立位での装着性及び股下部からのモレを防止する観点から１８０〜２３０ｍｍであることが好ましい。
【００２５】
本実施形態の使い捨ておむつ１においては、吸収体として、図２に示すように、上部吸収層４３及び下部吸収層４４からなる２層構造の部分と、上部吸収層４３又は下層吸収層４４からなる１層構造の部分とを有する吸収体４を用いることによって、高剛性領域Ｒ１及び低剛性領域Ｒ２，Ｒ２を形成してある。
【００２６】
本実施形態の使い捨ておむつ１によれば、図５に示すように、前記弾性部材６１，７１の収縮力により、使い捨ておむつに、長手方向の一方の部位と他方の部位とを近づける力が働くこと、及び高剛性領域Ｒ１が所定の部位（屈曲補助部１１，１２）において屈曲することの相乗効果によって、例えば、おむつ長手方向の一方の部位（第１部Ｂ又は第２部Ｃ）を両手又は片手で起立した状態に保持したときに、他方の部位（第２部Ｃ又は第１部Ｂ）も自然に起立した状態（第１部Ｂの内表面と第２部Ｃの内表面とが概ね相対向した状態）となる。即ち、第１部Ｂ及び第２部Ｃの両方を同時に支持しなくても、使い捨ておむつが、長手方向において、凹状に屈曲ないし湾曲した形態となり、その状態が安定に保持される。そのため、使い捨ておむつ１は、図６に示すように、立位状態の被装着者の股間部に容易にあてがうことができる。しかも、被装着者の股間部にあてがった後においても、凹状に屈曲ないし湾曲した形態が安定に保持されると共に、ファスニングテープ５，５がランディングゾーン５１の近くに位置するため、ファスニングテープ５，５の止着も容易である。
【００２７】
現在、テープ止めおむつは折りたたまれた状態でパッケージされて販売されており、これを従来は、長手方向に広げてから着用者のおしりを載せるようにして使用するものであった。このため、おむつが長手方向に湾曲してしまうと着用しにくいため、おむつを広げても折り畳まれた状態に戻りにくいようにしていた。このような常識に反して本願発明ではおむつに高剛性領域を積極的に配し、かつおむつを長手方向に湾曲し易くするための屈曲補助手段まで設けている。これは、「テープ止めおむつを立位装着する」という新たな視点に基づいて初めて見出したものであり、当業界の常識を覆すものである。本願発明のように配することで、第１部Ｂ及び第２部Ｃの両方を同時に支持しなくても、使い捨ておむつが、長手方向において、凹状に屈曲ないし湾曲した形態となることが可能であり、保持手段がない立位での装着において、片側を支持することで仮想の保持部が形成できることから、立位での装着が格段に向上できる。
【００２８】
本実施形態の使い捨ておむつ１における各部の形成材料について説明する。
表面シート２、裏面シート３、吸収体４、及立体ギャザー形成用のシート材６２、ランディングゾーン５１形成用のランディングテープ等の形成材料としては、従来、使い捨ておむつに用いられている各種公知の材料を特に制限なく用いることができる。
【００２９】
ファスニングテープ５は、機械的面ファスナーのオス部材からなる止着部を有するものでも、粘着剤を塗布して形成した粘着部を有するものでも良い。また、裏面シート３の外表面側を係合性に富む素材により形成し、それをランディングゾーン５１として利用することもできる。
【００３０】
立体ギャザー形成用の弾性部材６１、レッグ部弾性部材７１、ウエスト部弾性部材８１及び胴回り部弾性部材９１としては、それぞれ各種公知の弾性部材を用いることができ、例えば、各弾性部材の形態としては、糸状のもの（糸ゴム等）、所定幅の帯状のもの（平ゴム等）、薄膜状のもの等を挙げることができ、弾性部材の形成素材としては、天然ゴムの他、スチレン−ブタジエン、ブタジエン、イソプレン、ネオプレン等の合成ゴム、ＥＶＡ、伸縮性ポリオレフィン、ウレタン等を挙げることができる。
【００３１】
以上、本発明の好ましい一実施形態について説明したが、本発明は、上述した実施形態に制限されず、本発明の趣旨を逸脱しない範囲で種々変更が可能である。
例えば、吸収体配設領域の全体が高剛性領域Ｒ１となっていても良い。また、屈曲補助部を、おむつ長手方向中央線の前後に一対設けるのに代えて、おむつ長手方向中央線上又はその近傍等の一カ所のみに設けても良い。
図７は、本発明の他の実施形態の要部を示す図であり、高剛性領域Ｒ１が、おむつ長手方向中央線ＣＬの前後のそれぞれ３０ｍｍ以上の長さ（Ｌ２＞３０ｍｍ）に亘って一定の幅を有しており、その幅は５〜９０ｍｍの範囲内である。
本発明の使い捨ておむつは、成人用の使い捨ておむつであっても良いが、幼児（ベビー）用の使い捨ておむつ、特におむつ換えを嫌がる幼児に適している。
【００３２】
【実施例】
＜実施例１＞
図１〜図４に示す形態の使い捨ておむつを製造した。
製造した使い捨ておむつは、股下部の幅方向中央部に高剛性領域、その両外側に低剛性領域を有している。この使い捨ておむつにおける、高剛性領域の曲げ剛性、最小幅（本実施例ではおむつ長手方向中央線上の幅，Ｗ１）及び長さ（Ｌ１）、低剛性領域の曲げ剛性及び最小幅（おむつ長手方向中央線上の幅，Ｗ４）等を、表１に示した。また、この使い捨ておむつは、長手方向中央線ＣＬの前後のそれぞれ３０ｍｍ以上の長さに亘って、その幅が５〜９０ｍｍの範囲内である。また、屈曲補助部は加圧圧縮により高剛性領域Ｒ１に直線状の圧縮部を幅方向に延びるようにおむつ長手方向中央線の前後に一対形成した。
【００３３】
＜比較例１，２＞
高剛性領域の曲げ剛性、最小幅（Ｗ１）及び長さ（Ｌ１）、低剛性領域の曲げ剛性及び最小幅（Ｗ４）等を、表１に示す通りに代えた以外は、実施例１と同様の構成を有する使い捨ておむつを製造した。
【００３４】
【表１】
2004057413.tif 000003
【００３５】
＜性能評価（装着のし易さの評価）＞
実施例及び比較例の使い捨ておむつについて、寝位状態及び立位状態の幼児に対する装着のし易さを評価した。装着方法は、第１部を着用者の背側に位置させ、ファスニングテープを着用者の腹側においてランディングゾーンに止着する方法（腹側装着）とした。
紙おむつを使用して子育てしている（していた）１１名に、実施例及び比較例の使い捨ておむつを渡し、各使い捨ておむつについて、寝位及び立位での装着を行ってもらった。
寝位で装着した場合と立位で装着した場合のそれぞれについて、比較基準品との比較における装着容易性の優劣を、
○；比較基準品よりも装着しやすい。
△；比較基準品とほとんど変わらない。
×；比較基準品よりも装着しにくい。
の３段階で評価をしてもらった。
一番評価の多いものをそのおむつの評価とし、結果を表１に示した。
【００３６】
【発明の効果】
本発明の使い捨ておむつは、立位及び寝位の何れの状態においても装着し易いものである。
【図面の簡単な説明】
【図１】図１は、本発明の一実施形態としての使い捨ておむつを、各部の弾性部材を伸張させ平面状に拡げた状態（緊張状態）を示す平面図である。
【図２】図２は、図１の使い捨ておむつの長手方向中央線ＣＬに沿う断面を示す模式断面図である。
【図３】図３は、図１の使い捨ておむつの要部を示す平面図である。
【図４】図４は、屈曲補助部の断面構成を示す図（図１のＸ−Ｘ線断面図）である。
【図５】図５は、図１の使い捨ておむつの自然状態下の長手方向に沿う断面を示す模式断面図である。
【図６】図６は、図１の使い捨ておむつを、立ち上がった状態の幼児の股間部にあてがった状態を示す側面図である。
【図７】図７は、本発明の他の実施形態としての使い捨ておむつを示す図（図３相当図）である。
【符号の説明】
１　　使い捨ておむつ
２　　表面シート
３　　裏面シート
４　　吸収体
５　　ファスニングテープ
６　　立体ギャザー
６１　立体ギャザー弾性部材（弾性部材）
７　　レッグギャザー
７１　　レッグ部弾性部材（弾性部材）
Ｒ１　高剛性領域
Ａ　　股下部
【図１】
2004057413.tif 000004
【図２】
2004057413.tif 000005
【図３】
2004057413.tif 000006
【図４】
2004057413.tif 000007
【図５】
2004057413.tif 000008
【図６】
2004057413.tif 000009
【図７】
2004057413.tif 000010